(57)【要約】      （修正有）【課題】装飾効果が大きいこれまでにない奇抜なアクセサリーを提供する。【解決手段】アクセサリー１０Ａは、布材を主体として平板状に形成され、所定のテーマに基づく形態を有するとともに、直線状の孔状のボタン孔３５Ａを有し、衣服その他ボタンを有するもののボタンＢに取り付けられる。【選択図】図３
0003213304.tif 000002
【実用新案登録請求の範囲】
【請求項１】
布材を主体として平板状に形成され、所定のテーマに基づく形態を有するとともに、
直線状の孔状のボタン孔を有し、
衣服その他ボタンを有するものの当該ボタンに対して、前記ボタン孔において取り付けられる、
アクセサリー。
【請求項２】
請求項１に記載のアクセサリーであって、
所定のテーマに基づく形態を有し布材を主体として平板状に形成されたアクセサリー本体と、
そのアクセサリー本体に付随して設けられたボタン孔形成部とを有し、
前記ボタン孔は、前記ボタン孔形成部に形成されている、
アクセサリー。
【請求項３】
請求項１に記載のアクセサリーであって、
所定のテーマに基づく形態を有し布材を主体として平板状に形成されたアクセサリー本体を有し、
前記ボタン孔は、前記アクセサリー本体に形成されている、
アクセサリー。
【請求項４】
請求項２に記載のアクセサリーであって、
前記アクセサリー本体には、前記所定のテーマに属する部位に少なくともほぼ囲まれ、当該所定のテーマに属さないテーマ非属部位が存在し、
前記ボタン孔は、前記テーマ非属部位に形成されている、
アクセサリー。
【考案の詳細な説明】
【技術分野】
【０００１】
本考案は、衣服等に取り付けて使用されるアクセサリーに関するものである。
【背景技術】
【０００２】
特にお洒落をたしなむ人等は、アクセサリーを直接的に身につけたり、衣服に取り付けることによって間接的に身につけたりする場合がある。
【０００３】
衣服に取り付けるアクセサリーにも種々のものがある。
しかしながら、アクセサリーは装飾のためのものであり、装飾の効果を大きなものとするためには、これまでにない奇抜なものが求められている。
【０００４】
なお、本考案に関連する先行技術として、特許文献１に記載されているものがある。
【先行技術文献】
【特許文献】
【０００５】
【特許文献１】特開２０１０−１４２３８７号公報
【考案の概要】
【考案が解決しようとする課題】
【０００６】
本考案は、これまでにない奇抜なアクセサリーを提供することを課題とする。
【課題を解決するための手段】
【０００７】
この課題を解決するために、請求項１に係る考案は、布材を主体として平板状に形成され、所定のテーマに基づく形態を有するとともに、直線状の孔状のボタン孔を有し、衣服その他ボタンを有するものの当該ボタンに対して、前記ボタン孔において取り付けられる、アクセサリーである。
【０００８】
この考案のアクセサリーは、そのボタン孔において、衣服その他ボタンを有するものの当該ボタンに対して取り付けられる。
そして、この考案のアクセサリーは、布材を主体として平板状に形成され、各種の形状を有している。
このため、ボタンに取り付けられるという斬新な取付け構造とともに、平板状の各種の形状を呈するため、看者には奇抜な印象を与え、大きな装飾効果を得ることができる。
【０００９】
また、衣服等に対して取り付けられる状態において、ブローチ等の場合のようにピンやクリップ等の金属類を使用する必要がないため、金属アレルギーを有する者も安心して使用することができるとともに、ピン等によってケガをするおそれもなく、安全に使用することができる。
さらに、同じく衣服等に対して取り付けられる状態において、衣服等に対して針孔等を設ける必要がないため、衣服等が傷むことが防止される。
【００１０】
請求項２に係る考案は、請求項１に係る考案のアクセサリーであって、所定のテーマに基づく形態を有し布材を主体として平板状に形成されたアクセサリー本体と、そのアクセサリー本体に付随して設けられたボタン孔形成部とを有し、前記ボタン孔は、前記ボタン孔形成部に形成されている、アクセサリーである。
【００１１】
この考案のアクセサリーでは、請求項１に係る考案のアクセサリーの作用効果に加えて、次の作用効果が得られる。
この考案のアクセサリーでは、アクセサリー本体が所定のテーマに基づく形態を有し、それに付随するボタン孔形成部にボタン孔が形成されている。このため、所定のテーマに基づく形態を有するアクセサリー本体にはボタン孔が形成されず、そのテーマの形態のいずれの部位もボタンによって遮蔽されず、そのテーマの形態のすべてが看者によって視認される。
こうして、装飾効果が減ぜられることが防止され、大きな装飾効果が得られる。
【００１２】
「所定のテーマに基づく形態を有する」とは、「所定のテーマの形態を有する」という態様に限らず、他の態様として、所定のテーマに属する部位に少なくともほぼ囲まれ、当該所定のテーマに属さないテーマ非属部位が存在する、という態様等がある。
【００１３】
請求項３に係る考案は、請求項１に係る考案のアクセサリーであって、所定のテーマに基づく形態を有し布材を主体として平板状に形成されたアクセサリー本体を有し、前記ボタン孔は、前記アクセサリー本体に形成されている、アクセサリーである。
【００１４】
この考案のアクセサリーでは、請求項１に係る考案のアクセサリーの作用効果に加えて、次の作用効果が得られる。
この考案のアクセサリーでは、所定のテーマに基づく形状を有するアクセサリー本体にボタン孔が形成されており、アクセサリー本体に付随するボタン孔形成部が不要であり、その分、全体の大きさのコンパクト化が図られる。
【００１５】
請求項４に係る考案は、請求項２に係る考案のアクセサリーであって、前記アクセサリー本体には、前記所定のテーマに属する部位に少なくともほぼ囲まれ、当該所定のテーマに属さないテーマ非属部位が存在し、前記ボタン孔は、前記テーマ非属部位に形成されている、アクセサリーである。
【００１６】
この考案のアクセサリーでは、請求項２に係る考案のアクセサリーの作用効果と、請求項３に係る考案のアクセサリーの作用効果の双方がほぼ得られる。
すなわち、この考案のアクセサリーでは、ボタン孔は、アクセサリー本体に形成されているため、アクセサリー本体に付随するボタン孔形成部が不要であり、その分、全体の大きさのコンパクト化が図られる。
また、ボタン孔は、アクセサリー本体のうちのテーマ非属部位に形成されているため、そのテーマに属する部位のうちの少なくともほぼいずれの部位もボタンによって遮蔽されず、そのテーマに属する部位の形態のうちの少なくともほぼすべてが看者によって視認される。
こうして、装飾効果が減ぜられることが防止され、大きな装飾効果が得られる。
【図面の簡単な説明】
【００１７】
【図１】本考案の実施例１のボタンアクセサリーを示す図である。（ａ）は正面図であり、（ｂ）は縦断面図（（ａ）の正面図におけるＡ−Ａ断面図）である。
【図２】本考案の実施例１のボタンアクセサリーを使用する過程を示す図である。
【図３】本考案の実施例１のボタンアクセサリーの使用状態を示す図である。
【図４】本考案の実施例２のボタンアクセサリーを示す図である。（ａ）は正面図であり、（ｂ）は縦断面図（（ａ）の正面図におけるＢ−Ｂ断面図）である。
【図５】本考案の実施例３のボタンアクセサリーを示す図である。（ａ）は正面図であり、（ｂ）は縦断面図（（ａ）の正面図におけるＣ−Ｃ断面図）である。
【図６】本考案の実施例４のボタンアクセサリーを示す図である。（ａ）は正面図であり、（ｂ）は縦断面図（（ａ）の正面図におけるＤ−Ｄ断面図）である。
【考案を実施するための形態】
【００１８】
［実施例１］
次に、本考案の実施例１について、図１〜図３に基づいて説明する。
図１に示すように、このボタンアクセサリー１０Ａ（アクセサリー）は、布材を主体として平板状に形成されている。このボタンアクセサリー１０Ａのテーマは「浮世絵の女性」である。より正確にいうと、「喜多川歌麿」作の「ビードロを吹く娘」である。
このボタンアクセサリー１０Ａは、アクセサリー本体２０Ａ及びボタン孔形成部３０Ａを有している。
【００１９】
アクセサリー本体２０Ａは「浮世絵の女性」の形状（「浮世絵の女性」に基づく形状）を有している。アクセサリー本体２０Ａのおもて面には、「浮世絵の女性」の図柄が刺繍によって形成されている。
【００２０】
ボタン孔形成部３０Ａは、アクセサリー本体２０Ａの上部に形成され、縦長のほぼ楕円形状をしている。
ボタン孔形成部３０Ａには、ボタン孔３５Ａが形成されている。ボタン孔３５Ａは縦方向に延びる直線状の孔状をしている。より正確にいうと、大半部分は直線状をしているとともに、その上端部はほぼ円形状をしている。ほぼ円形状の部分の径は、直線上の部分の幅よりも長いものである。
【００２１】
なお、このボタンアクセサリー１０Ａにおいては、デザイン上、横帯部３２Ａが形成されている。横帯部３２Ａは、ボタン孔３５Ａのうちの下部において、ボタン孔３５Ａを塞ぎつつ、ボタン孔形成部３０Ａを横断している。そして、ボタン孔３５Ａのうちの主要部分（横帯部３２Ａよりも上の部分）が、ボタンＢ（図２，図３）が着脱可能に嵌合し得る長さを有している。
【００２２】
次に、このボタンアクセサリー１０Ａの使用方法及び作用効果について、図２及び図３に基づいて説明する。
図２→図３に示すように、シャツやブラウス等、ボタンＢ（Ｂ１，Ｂ２）を有する衣服を使用者が着用した状態（すなわち、各ボタンＢが所定のボタン孔３５Ａに嵌合されおもて側に露出した状態）で、いずれかのボタンＢに対して、このボタンアクセサリー１０Ａが取り付けられる。
すなわち、ボタンアクセサリー１０Ａのボタン孔３５Ａに対して、ボタンＢが嵌合され、ボタンアクセサリー１０Ａのおもて側にボタンＢが露出する状態とする。
こうして、ボタンアクセサリー１０ＡがボタンＢに対して取り付けられる。
【００２３】
そして、このボタンアクセサリー１０Ａでは、ボタンＢ１に取り付けられるという斬新な取付け構造とともに、「浮世絵の女性」というテーマの形態を呈するため、看者には奇抜な印象を与え、大きな装飾効果を得ることができる。
【００２４】
その際、アクセサリー本体１０Ａ（「浮世絵の女性」というテーマの形態を有する）のいずれの部位もボタンＢによって遮蔽されず、そのテーマの形態のすべてが看者によって視認される。
こうして、装飾効果が減ぜられることが防止され、大きな装飾効果が得られる。
【００２５】
また、上述の取り付け状態において、ピンやクリップ等の金属類を使用する必要がないため、金属アレルギーを有する者も安心して使用することができるとともに、ピンによってケガをするおそれもなく安全に使用することができる。
さらに、同じく上述の取り付け状態において、衣服に対して針孔等を設ける必要がないため、衣服が傷むことが防止される。
【００２６】
なお、ボタンアクセサリー１０Ａが取り付けられるボタンは、いずれのボタンＢでもよく、フロントボタンＢ１に限らず、ボタンダウンのボタンＢ２でもよい。
【００２７】
［実施例２］
次に、本考案の実施例２について、図４に基づいて説明する。実施例２は実施例１の変形例であり、共通する要素については、対応する符号（「Ａ」を「Ｂ」に変更した符号）を付して適宜説明を省略する。
このボタンアクセサリー１０Ｂ（アクセサリー）のテーマは「招き猫」である。より正確にいうと、「もう１匹の猫と３枚の小判を伴う招き猫」である。
このボタンアクセサリー１０Ｂは、アクセサリー本体２０Ｂ及びボタン孔形成部３０Ｂを有している。
【００２８】
アクセサリー本体２０Ｂは「招き猫」の形状（「招き猫」に基づく形状）を有している。アクセサリー本体２０Ｂのおもて面には、「招き猫」の図柄が刺繍によって形成されている。
【００２９】
ボタン孔形成部３０Ｂは、アクセサリー本体２０Ｂの上部から上方に細長く延びている。ボタン孔形成部３０Ｂには、ボタン孔３５Ｂが形成されている。ボタン孔３５Ｂは縦方向に延びる長孔状をしている。
【００３０】
そして、このボタンアクセサリー１０Ｂも、実施例１のボタンアクセサリー１０Ａと同様に使用され、同様の作用効果が得られる。
【００３１】
［実施例３］
次に、本考案の実施例３について、図５に基づいて説明する。実施例３も実施例１の変形例であり、共通する要素については、対応する符号（「Ａ」を「Ｃ」に変更した符号）を付して適宜説明を省略する。
このボタンアクセサリー１０Ｃ（アクセサリー）のテーマは「浮世絵の波」である。より正確にいうと、「葛飾北斎」作の「富嶽三十六景」のうちの「神奈川沖浪裏」である。
このボタンアクセサリー１０Ｃは、アクセサリー本体２０Ｃを有しているが、ボタン孔形成部を有してはいない。
【００３２】
アクセサリー本体２０Ｃは「浮世絵の波」の形状（「浮世絵の波」に基づく形状）を有している。アクセサリー本体２０Ｃのおもて面には、「浮世絵の波」の図柄が刺繍によって形成されている。
【００３３】
アクセサリー本体２０Ｃには、ボタン孔３５Ｃが形成されている。ボタン孔３５Ｃは縦方向に延びる長孔状をしている。
【００３４】
そして、このボタンアクセサリー１０Ｃも、実施例１のボタンアクセサリー１０Ａと同様に使用され、ほぼ同様の作用効果が得られる。
【００３５】
その際、このボタンアクセサリー１０Ｃでは、アクセサリー本体２０Ｃにボタン孔３５Ｃが形成されており、アクセサリー本体２０Ｃに付随するボタン孔形成部（３０Ａ）が不要であり、その分、全体の大きさのコンパクト化が図られる。
【００３６】
［実施例４］
次に、本考案の実施例４について、図６に基づいて説明する。実施例４は実施例１の変形例であり、共通する要素については、対応する符号（「Ａ」を「Ｄ」に変更した符号）を付して適宜説明を省略する。
このボタンアクセサリー１０Ｄ（アクセサリー）のテーマは「豹」である。
このボタンアクセサリー１０Ｄは、アクセサリー本体２０Ｄを有しているが、ボタン孔形成部を有してはいない。
【００３７】
アクセサリー本体２０Ｄは「豹」に基づく形状を有している。アクセサリー本体２０Ｄのおもて面には、「豹」の図柄が刺繍によって形成されている。
「豹」は、両前脚を上方に伸ばし、その先端において両前脚を相互に付けている。そして、アクセサリー本体２０Ｄの形状は、両前脚の間の部分も含んだ形状をしている。そして、アクセサリー本体２０Ｄのうち、「豹」の「両前脚の間の部分」はテーマ非属部位２５Ｄに該当する。
【００３８】
アクセサリー本体２０Ｄのうち、テーマ非属部位２５Ｄには、ボタン孔３５Ｄが形成されている。ボタン孔３５Ｄは縦方向に延びる長孔状をしている。
【００３９】
そして、このボタンアクセサリー１０Ｄも、実施例１のボタンアクセサリー１０Ａと同様に使用され、ほぼ同様の作用効果が得られる。
【００４０】
その際、このボタンアクセサリー１０Ｄでは、アクセサリー本体２０Ｄにボタン孔３５Ｄが形成されており、アクセサリー本体２０Ｄに付随するボタン孔形成部（３０Ａ）が不要であり、その分、全体の大きさのコンパクト化が図られる。
【００４１】
それとともに、このボタンアクセサリー１０Ｄでは、アクセサリー本体２０Ｄ（「豹」のテーマに基づく形態を有する）の当該テーマに属さないにテーマ非属部位２５Ｄに存在し、ボタン孔３５Ｄはそのテーマ非属部位２５Ｄに形成されている。このため、アクセサリー本体１０Ｄのうち「豹」のテーマに属する部位のうちの少なくともほぼいずれの部位もボタンＢによって遮蔽されず、そのテーマに属する部位の形態のうちの少なくともほぼすべてが看者によって視認される。
こうして、装飾効果が減ぜられることが防止され、大きな装飾効果が得られる。
【００４２】
なお、上記のものはあくまで本考案の数例の実施例にすぎず、当業者の知識に基づき種々の変更を加えた態様で本考案を実施できることはもちろんである。
【００４３】
例えば、アクセサリー本体（アクセサリー）のテーマは上述に限らず、種々のものが適用され得る。
【００４４】
また、本考案のアクセサリーは、衣服等のみでなく、ボタンのある種々のものに取り付けることができる。例えば、タオルや手提げ袋にボタンがあれば、そのボタンを利用して、当該タオルや手提げ袋に対して取り付けることができる。
【符号の説明】
【００４５】
１０Ａ〜１０Ｄ  ボタンアクセサリー（アクセサリー）
２０Ａ〜２０Ｄ  アクセサリー本体
２５Ｄ  テーマ非属部位  
３０Ａ，３０Ｂ  ボタン孔形成部
３５Ａ〜３５Ｄ  ボタン孔
Ｂ（Ｂ１，Ｂ２）  ボタン
【図１】
0003213304.tif 000003
【図２】
0003213304.tif 000004
【図３】
0003213304.tif 000005
【図４】
0003213304.tif 000006
【図５】
0003213304.tif 000007
【図６】
0003213304.tif 000008